(57)【要約】  交通状態についての所望の映像データを用いた処理を行うための環境の整備を促進することができる情報処理装置、情報処理システム、情報処理方法、及びプログラムを提供する。情報処理装置（１）は、交通状態を撮影するカメラからの映像データを取得するカメラ映像取得部（２）と、前記カメラの特徴に基づいて、前記映像データをカメラ映像取得部（２）が取得するための環境の提供に対する報酬を決定する報酬決定部（３）とを有する。
2019187290.tif 000002
【特許請求の範囲】
【請求項１】
交通状態を撮影するカメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理装置。
【請求項２】
前記特徴は前記カメラの設置場所である
請求項１に記載の情報処理装置。
【請求項３】
前記報酬決定手段は、予め定められた観測地点の全体を含む映像を撮影することができる環境の提供に対し、前記予め定められた観測地点の全体を含む映像を撮影できない環境の提供よりも価値の大きな報酬を付与するよう報酬を決定する
請求項２に記載の情報処理装置。
【請求項４】
前記特徴は前記カメラの性能である
請求項１乃至３のいずれか１項に記載の情報処理装置。
【請求項５】
前記報酬決定手段は、さらに、前記カメラに供給する電源の提供又は前記カメラからの映像データの伝送に用いられるネットワークの提供に対する報酬を算出する
請求項１乃至４のいずれか１項に記載の情報処理装置。
【請求項６】
前記報酬決定手段により決定された報酬についての情報を端末装置に送信する報酬送信手段をさらに有する
請求項１乃至５のいずれか１項に記載の情報処理装置。
【請求項７】
前記カメラ映像取得手段が取得した映像データを用いて所定の処理を実行する処理実行手段をさらに有し、
前記カメラ映像取得手段は、同じ観測地点についての交通状態を撮影する複数のカメラからの映像データのうち、前記カメラの特徴に応じて選択された映像データを取得し、
前記処理実行手段は、前記選択された映像データを用いて所定の処理を実行する
請求項１乃至６のいずれか１項に記載の情報処理装置。
【請求項８】
前記カメラ映像取得手段が取得した映像データを用いて所定の処理を実行する処理実行手段をさらに有し、
前記報酬決定手段は、映像データが前記処理実行手段の処理に用いられた場合に、該映像データを取得するための環境の提供に対する報酬を決定する
請求項１乃至６のいずれか１項に記載の情報処理装置。
【請求項９】
交通状態を撮影するカメラの新たな設置場所を端末装置に通知する新規設置場所通知手段をさらに有する
請求項１乃至８のいずれか１項に記載の情報処理装置。
【請求項１０】
交通状態を撮影するカメラと、
情報処理装置と
を備え、
前記情報処理装置は、
前記カメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理システム。
【請求項１１】
前記特徴は前記カメラの設置場所である
請求項１０に記載の情報処理システム。
【請求項１２】
情報処理装置が、
交通状態を撮影するカメラからの映像データを取得し、
前記カメラの特徴に基づいて、前記映像データを取得するための環境の提供に対する報酬を決定する
情報処理方法。
【請求項１３】
交通状態を撮影するカメラからの映像データを取得するカメラ映像取得ステップと、
前記カメラの特徴に基づいて、前記映像データを取得するための環境の提供に対する報酬を決定する報酬決定ステップと
をコンピュータに実行させるプログラムが格納された非一時的なコンピュータ可読媒体。
【発明の詳細な説明】
【技術分野】
【０００１】
本発明は情報処理装置、情報処理システム、情報処理方法、及びプログラムに関する。
【背景技術】
【０００２】
ＩＣＴ（Information and Communication Technology）を用いた交通の監視又は分析などの処理を行うシステムが知られている（例えば、特許文献１）。ところで、交通状態を撮影した映像データを用いた処理を行う場合、そのための環境をどのようにして整えるかが問題となる。【０００３】
これに関し、特許文献２には、無線ＬＡＮ設備所有者がその無線ＬＡＮ設備をモバイルユーザに対してアクセスポイントとして提供した場合に、その対価として、設備提供料などを得る無線ＬＡＮの提供システムについて開示している。
【先行技術文献】
【特許文献】
【０００４】
【特許文献１】特開２０１５−０２８６７５号公報
【特許文献２】特開２００７−１１０４７９号公報
【発明の概要】
【発明が解決しようとする課題】
【０００５】
交通状態を撮影した映像データを用いた処理が行われる場合、どのような映像データを用いることができるかが重要である。特許文献２に記載したシステムでは、接続回数又は接続時間に応じて、全てのアクセスポイントに一律の対価が支払われることとなる。したがって、特許文献２に記載された技術を映像データの取得に適用した場合、設備を提供してもらったことにより取得できた映像データが所望のものであるかにかかわらず一律の対価が支払われることとなる。このため、特許文献２で記載されたシステムでは、交通状態についての所望の映像データを用いた処理を行うための環境の整備を促進することができない。【０００６】
そこで、本明細書に開示される実施形態が達成しようとする目的の１つは、交通状態についての所望の映像データを用いた処理を行うための環境の整備を促進することができる情報処理装置、情報処理システム、情報処理方法、及びプログラムを提供することにある。
【課題を解決するための手段】
【０００７】
第１の態様にかかる情報処理装置は、交通状態を撮影するカメラからの映像データを取得するカメラ映像取得手段と、前記カメラの特徴に基づいて、前記映像データを前記カメラ映像取得手段が取得するための環境の提供に対する報酬を決定する報酬決定手段とを有する。【０００８】
第２の態様にかかる情報処理システムは、交通状態を撮影するカメラと、情報処理装置とを備え、前記情報処理装置は、前記カメラからの映像データを取得するカメラ映像取得手段と、前記カメラの特徴に基づいて、前記映像データを前記カメラ映像取得手段が取得するための環境の提供に対する報酬を決定する報酬決定手段とを有する。【０００９】
第３の態様にかかる情報処理方法では、情報処理装置が、交通状態を撮影するカメラからの映像データを取得し、前記カメラの特徴に基づいて、前記映像データを取得するための環境の提供に対する報酬を決定する。【００１０】
第４の態様にかかるプログラムは、交通状態を撮影するカメラからの映像データを取得するカメラ映像取得ステップと、前記カメラの特徴に基づいて、前記映像データを取得するための環境の提供に対する報酬を決定する報酬決定ステップとをコンピュータに実行させる。
【発明の効果】
【００１１】
上述の態様によれば、交通状態についての所望の映像データを用いた処理を行うための環境の整備を促進することができる情報処理装置、情報処理システム、情報処理方法、及びプログラムを提供することができる。
【図面の簡単な説明】
【００１２】
【図１】実施の形態の概要にかかる情報処理装置の構成の一例を示すブロック図である。
【図２】実施の形態にかかる情報処理システムの構成の一例を示すブロック図である。
【図３】環境情報記憶部に記憶されたデータの構成の一例を示す模式図である。
【図４】実施の形態にかかるサーバのハードウェア構成の一例を示すブロック図である。
【図５】実施の形態にかかる端末装置のハードウェア構成の一例を示すブロック図である。
【図６】実施の形態にかかるサーバの動作の一例を示すフローチャートである。
【図７】実施の形態の変形例１にかかる情報処理システムの構成の一例を示すブロック図である。
【図８】実施の形態の変形例２にかかる情報処理システムの構成の一例を示すブロック図である。
【発明を実施するための形態】
【００１３】
＜実施の形態の概要＞
実施の形態の詳細な説明に先立って、実施の形態の概要を説明する。図１は、実施の形態の概要にかかる情報処理装置１の構成の一例を示すブロック図である。図１に示すように、情報処理装置１は、カメラ映像取得部２と、報酬決定部３とを有する。
【００１４】
カメラ映像取得部２は、交通状態を撮影するカメラ（図１において不図示）からの映像データを取得する。カメラ映像取得部２は、例えば、有線又は無線のネットワークを介して、カメラが送信した映像データを取得するが、記憶媒体に記憶された映像データを読み出して取得してもよい。このように、カメラ映像取得部２は、映像データを取得できればよく、その取得方法は任意である。
【００１５】
カメラ映像取得部２が取得した映像データは所定の処理の実行に用いられてもよい。なお、所定の処理は、映像データを用いた処理であればよく、例えば、画像処理を伴う交通状態の監視処理又は分析処理であってもよい。
【００１６】
報酬決定部３は、カメラの特徴に基づいて、映像データをカメラ映像取得部２が取得するための環境の提供に対する報酬を決定する。すなわち、報酬決定部３は、カメラの特徴に応じた報酬を算出する。ここで、カメラの特徴とは、映像データの品質に影響を与える任意の特徴であり、例えばカメラの設置場所、カメラの性能などを含む。したがって、ここでいう映像データの品質とは、撮影内容の質、画質などを含む任意の品質である。
【００１７】
上述の通り、情報処理装置１では、報酬決定部３が、カメラの特徴に応じた報酬を算出する。このため、報酬は、一律ではなく、カメラの特徴に応じて決定することができる。このため、所定の処理を実行する上でより好ましい映像データを取得できる環境の提供に対する報酬の価値を、そのような環境を提供しない場合に比べて高くすることが可能となる。このため、交通状態についての所望の映像データを用いた処理を行うための環境（より具体的には、映像データの取得についての環境）の整備を促進することができる。
【００１８】
＜実施の形態の詳細＞
次に、実施の形態の詳細について説明する。図２は、実施の形態にかかる情報処理システム１０の構成の一例を示すブロック図である。図２に示すように、情報処理システム１０は、カメラ１００＿１〜１００＿Ｎと、サーバ２００と、端末装置３００＿１〜３００＿Ｎとを有する。ここで、Ｎは１以上の整数である。なお、以下の説明では、カメラ１００＿１〜１００＿Ｎについて、これらを特に区別せずに言及する場合、単に、カメラ１００と称すこととする。また、同様に、以下の説明では、端末装置３００＿１〜３００＿Ｎについて、これらを特に区別せずに言及する場合、単に、端末装置３００と称すこととする。
図２で示した構成では、カメラ１００の映像データの取得のための環境の提供に対する報酬についての情報（以下、報酬情報と呼ぶ）を受信する端末装置３００が各カメラ１００に対して１台ずつ存在している。しかしながら、このような構成は一例であり、情報処理システム１０の構成は、複数のカメラ１００に対し、これらのカメラ１００についての報酬情報を受信する１台の端末装置３００が存在する構成でもよい。また、報酬情報の受信が不要である場合には、情報処理システム１０は、端末装置３００を含まなくてもよい。
【００１９】
カメラ１００は、交通状態を撮影するためのカメラである。カメラ１００は、例えば、交差点における交通状態を撮影するためのカメラであるが、カメラ１００の撮影対象の場所は、これに限られない。カメラ１００は、撮影した映像データを有線又は無線のネットワークを介して、サーバ２００に送信する。本実施の形態では、カメラ１００は映像データとカメラ１００を識別するための識別子であるカメラＩＤとをサーバ２００に送信する。
【００２０】
ところで、カメラ１００は、撮影対象の場所を撮影可能な位置に設置されている必要がある。しかしながら、そのような設置場所を確保することは必ずしも容易ではない。特に、１台のカメラ１００で、所定の処理に必要とされる撮影範囲の全体（例えば、ある交差点の全体）を撮影可能な設置場所を確保することは容易ではない。例えば、ある程度の高さを有する設置場所であれば、必要とされる撮影範囲の全体が撮影可能になるかもしれないが、そのような場所を新設するには多くのコストを要する。一方、マンションやビルなどに設けられたベランダ、通信事業者の基地局が設けられている塔など、既設の構造物を設置場所として利用することができれば、設置場所の確保に必要とされるコストを抑制することができる。また、カメラ１００に供給する電源、及びカメラ１００の映像データを伝送するためのネットワークの確保などについても、これらを借りることにより、コストを抑制することができる。
【００２１】
映像データをサーバ２００が取得するために必要とされる環境（場所及び機器）の提供に対し報酬が設定されることにより、環境の提供が促進されることが期待できる。そこで、本実施の形態では、そのような環境を借りることに対する対価である報酬を付与するための仕組みについて開示する。
【００２２】
サーバ２００は、図２に示すように、カメラ映像取得部２０１と、処理実行部２０２と、環境情報記憶部２０３と、報酬決定部２０４と、報酬送信部２０５とを有する。
【００２３】
カメラ映像取得部２０１は、図１のカメラ映像取得部２に相当し、カメラ１００からの映像データを取得する。本実施の形態では、カメラ映像取得部２０１は、ネットワークを介して、カメラ１００のそれぞれから映像データを取得する。
【００２４】
処理実行部２０２は、カメラ映像取得部２０１が取得した映像データを用いて所定の処理を実行する。所定の処理は、映像データを用いた処理であればよい。例えば、処理実行部２０２は、映像データを画像処理により解析することによって、交通量、車両の速度、歩行者による道路の横断状況、交通を妨害する事情の発生などを検出する処理を行う。また、処理実行部２０２は、検出結果に基づいて、種々の処理を実行してもよい。
【００２５】
環境情報記憶部２０３は、借りる環境についての特徴を示す情報である環境情報を記憶する。例えば、環境情報記憶部２０３は、図３に示すように、カメラＩＤ、ユーザＩＤ、及び環境情報を対応づけて記憶する。カメラＩＤは、上述の通り、カメラ１００を識別するための識別子である。ユーザＩＤは、報酬を受領する人物を識別するための識別子である。なお、サーバ２００が映像データを取得するために必要とされる環境は、例えば、カメラ１００の設置場所、カメラ１００、カメラ１００に供給する電源、映像データを伝送するためのネットワーク機器又はネットワーク回線などである。
【００２６】
環境情報は、報酬決定部２０４による報酬の決定に用いられる。環境情報は、例えば、設置位置情報、カメラ性能情報、電源情報、ネットワーク情報などを含む。設置位置情報及びカメラ性能情報は、カメラ１００の特徴を示す情報の具体例である。
【００２７】
設置位置情報は、カメラ１００の設置位置を評価するための情報であり、例えば、所望の映像を撮影する上で要求される設置位置の条件の満足度合いを示す評価値である。なお、設置位置の条件の満足度合いを示す評価値は、例えば、カメラ１００の撮影対象、カメラ１００の撮影範囲の広さ、又はカメラ１００の撮影方向などの評価項目に基づいて予め設定される。なお、設置位置情報は、カメラ１００の設置位置を評価するための情報であればよく、評価値に限らず、例えば、評価値の算出に用いられる各評価項目の値であってもよい。
【００２８】
カメラ性能情報は、カメラ１００の性能を評価するための情報であり、例えば、映像データの画質に影響を与えるカメラ１００の性能に対する評価値である。カメラ１００の性能に対する評価値は、例えば、解像度、カメラ１００のレンズの仕様、カメラ１００の撮像素子の仕様などの評価項目に基づいて予め設定される。なお、カメラ性能情報は、カメラ１００の性能を評価するための情報であればよく、評価値に限らず、例えば、評価値の算出に用いられる各評価項目の値であってもよい。
【００２９】
電源情報は、カメラ１００に供給する電源を評価するための情報であり、例えば、電源に対する評価値である。電源に対する評価値は、例えば、電源の安定度合いなどの評価項目に基づいて予め設定される。なお、電源情報は、カメラ１００に供給する電源を評価するための情報であればよく、評価値に限らず、例えば、評価値の算出に用いられる各評価項目の値であってもよい。
【００３０】
ネットワーク情報は、カメラ１００の映像データを伝送するためのネットワークを評価するための情報であり、例えば、ネットワークに対する評価値である。ネットワークに対する評価値は、例えば、通信速度、通信の安定度合いなどの評価項目に基づいて予め設定される。なお、ネットワーク情報は、ネットワークを評価するための情報であればよく、評価値に限らず、例えば、評価値の算出に用いられる各評価項目の値であってもよい。
【００３１】
なお、環境情報記憶部２０３は、設置場所、カメラ、電源、及びネットワークといった環境のうち、ユーザにより貸し出された環境についての環境情報を当該ユーザのユーザＩＤ及び対応するカメラ１００のカメラＩＤと関連づけて記憶する。
【００３２】
報酬決定部２０４は、図１の報酬決定部３に相当し、映像データをカメラ映像取得部２０１が取得するための環境の提供に対する報酬を決定する。すなわち、報酬決定部２０４は、映像データを取得するために必要とされる環境を借りることについての対価としての報酬を決定する。本実施の形態では、報酬決定部２０４は、環境情報記憶部２０３に格納されているユーザ毎の環境情報に基づいて、どの程度の価値の報酬を付与するかを決定する。報酬決定部２０４は、ユーザが提供する環境についての環境情報に基づいて、各ユーザによる環境の提供に対する報酬を決定する。例えば、ユーザがカメラ１００の設置場所のみを提供する場合、報酬決定部２０４は当該ユーザに対応づけられている設置位置情報に基づいて報酬を決定する。また、例えば、ユーザがカメラ１００及びその設置場所を提供する場合、報酬決定部２０４は当該ユーザに対応づけられている設置位置情報及びカメラ性能情報に基づいて報酬を決定する。
【００３３】
報酬決定部２０４は、例えば、環境情報が評価値である場合、評価値に応じた価値を有する報酬をユーザへの対価として決定する。また、環境情報が評価値でない場合は、報酬決定部２０４は、例えば、環境情報に基づいて評価値を計算し、計算された評価値に応じた価値を有する報酬をユーザへの対価として決定する。
【００３４】
ここで報酬とは、環境を提供したユーザに付与される任意の対価をいう。例えば、報酬は、金銭であってもよいし、現金の代わりとして利用可能なポイント、電子マネー、仮想通貨などであってもよい。また、報酬は、例えば処理実行部２０２による処理により得られた交通情報などのように、ユーザにとって有用な情報であってもよい。より有用な情報（質の良い情報、または、量の多い情報）ほど報酬としての価値は高い。なお、上記は、報酬の一例に過ぎず、報酬がこれらに限られないことは言うまでもない。
【００３５】
本実施の形態では、カメラ１００の設置場所又はカメラ１００を提供したユーザに対し、報酬決定部２０４は、カメラ１００の特徴に応じた報酬を算出する。すなわち、報酬決定部２０４は、カメラ１００の設置場所又はカメラ１００の性能に応じた報酬を算出する。
【００３６】
より詳細には、報酬決定部２０４は、設置場所を提供したユーザに対する報酬として、カメラ１００の設置場所に応じた報酬を設置位置情報に基づいて算出する。
このように、本実施の形態では、報酬決定部２０４は、提供された設置場所に応じた報酬が算出されるので、所望の構図（撮影範囲、撮影方向など）で撮影された映像を取得するための環境の提供を促進することができる。すなわち、所望の構図で撮影された映像データを用いた処理を処理実行部２０２で実行するための環境の整備を促進することができる。
【００３７】
また、特に、報酬決定部２０４は、予め定められた観測地点の全体を含む映像を撮影することができる環境の提供に対し、そのような映像を撮影できない環境の提供よりも価値の大きな報酬を付与するよう報酬を決定してもよい。このようにすることで、当該観測地点を撮影するためのカメラ１００の設置台数を抑制することが期待できる。
【００３８】
また、報酬決定部２０４は、カメラ１００を提供したユーザに対する報酬として、カメラ１００の性能に応じた報酬をカメラ性能情報に基づいて算出する。このため所望の画質で撮影された映像を取得するための環境の提供を促進することができる。すなわち、所望の画質で撮影された映像データを用いた処理を処理実行部２０２で実行するための環境の整備を促進することができる。
【００３９】
また、報酬決定部２０４は、カメラ１００に供給する電源の提供に対する報酬を電源情報に基づいて算出する。このため、電源についての環境の整備を促進することができる。また、報酬決定部２０４は、カメラ１００からの映像データの伝送に用いられるネットワークの提供に対する報酬をネットワーク情報に基づいて算出する。このため、ネットワークについての環境の整備を促進することができる。
【００４０】
報酬送信部２０５は、報酬決定部２０４により決定された報酬情報を端末装置３００に送信する。報酬送信部２０５は、例えば、あるユーザによる環境の提供に対して決定された報酬情報を、このユーザが利用する端末装置３００に送信する。ここで、報酬情報は、例えば報酬決定部２０４により決定された報酬の内容を示す情報である。例えば、金銭的な報酬である場合には、報酬情報は報酬額の通知であってもよい。また、報酬がユーザにとって有用な情報である場合には、報酬情報は、この有用な情報であってもよい。
【００４１】
次に、端末装置３００について説明する。図２に示すように、端末装置３００は、報酬取得部３０１と、報酬表示部３０２とを有する。
【００４２】
報酬取得部３０１は、サーバ２００から送信された報酬情報を取得する。報酬取得部３０１は、例えば、有線又は無線のネットワークを介して、サーバ２００から報酬情報を取得する。
【００４３】
報酬表示部３０２は、報酬取得部３０１が取得した情報を端末装置３００の表示装置３５４（図５参照）に表示する。これにより、ユーザは、環境を提供した対価として付与された報酬を確認することができる。
【００４４】
次に、サーバ２００及び端末装置３００のハードウェア構成について説明する。図４は、サーバ２００のハードウェア構成の一例を示すブロック図である。また、図５は、端末装置３００のハードウェア構成の一例を示すブロック図である。
【００４５】
図４に示すように、サーバ２００は、例えば、ネットワークインタフェース２５０と、メモリ２５１と、プロセッサ２５２とを有する。また、図５に示すように、端末装置３００は、例えば、ネットワークインタフェース３５０と、メモリ３５１と、プロセッサ３５２と、入力装置３５３と、表示装置３５４とを有する。
【００４６】
ネットワークインタフェース２５０は、端末装置３００との通信を行うために使用される。同様に、ネットワークインタフェース３５０は、サーバ２００との通信を行うために使用される。ネットワークインタフェース２５０、３５０は、例えば、ネットワークインタフェースカード（ＮＩＣ）を含んでもよい。
【００４７】
メモリ２５１、３５１は、例えば揮発性メモリ及び不揮発性メモリの組み合わせによって構成される。メモリ２５１は、プロセッサ２５２により実行される、１以上の命令を含むソフトウェア（コンピュータプログラム）などを格納するために使用される。同様に、メモリ３５１は、プロセッサ３５２により実行される、１以上の命令を含むソフトウェア（コンピュータプログラム）などを格納するために使用される。
【００４８】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４９】
プロセッサ２５２、３５２は、例えば、マイクロプロセッサ、ＭＰＵ(Micro Processor Unit)、又はＣＰＵ(Central Processing Unit)などであってもよい。プロセッサ２５２、３５２は、複数のプロセッサを含んでもよい。プロセッサ２５２は、メモリ２５１からコンピュータプログラムを読み出して実行することで、図２に示したサーバ２００の各構成要素の処理を行う。同様に、プロセッサ３５２は、メモリ３５１からコンピュータプログラムを読み出して実行することで、図２に示した端末装置３００の各構成要素の処理を行う。なお、サーバ２００の環境情報記憶部２０３は、メモリ２５１又は記憶装置（図示せず）により実現される。本実施の形態では、環境情報記憶部２０３は、サーバ２００が備えるものとして説明したが、環境情報記憶部２０３がデータベース装置などの他の装置により実現されてもよい。
【００５０】
入力装置３５３は、ユーザからの入力を受け付けるキーボードなどの装置である。表示装置３５４は、情報の表示を行うディスプレイなどの装置である。
【００５１】
なお、本実施の形態では、カメラ１００と端末装置３００とが別の機器として説明されたが、例えばスマートフォンなどのように、カメラ１００は端末装置３００に搭載されていてもよい。
【００５２】
次に、サーバ２００の動作例について説明する。図６は、サーバ２００の動作の一例を示すフローチャートである。以下、図６に沿って、サーバ２００の動作について説明する。
【００５３】
ステップ１００（Ｓ１００）において、カメラ映像取得部２０１が、カメラ１００からの映像データを取得する。
次に、ステップ１０１（Ｓ１０１）において、処理実行部２０２が、カメラ映像取得部２０１が取得した映像データを用いて所定の処理を実行する。
次に、ステップ１０２（Ｓ１０２）において、報酬決定部２０４が、環境の提供に対する報酬を決定する。
次に、ステップ１０３（Ｓ１０３）において、報酬送信部２０５が、ステップ１０２で決定された報酬情報を端末装置３００に送信する。これにより、端末装置３００では、報酬取得部３０１が情報を取得し、報酬表示部３０２が情報を表示する。
【００５４】
なお、上述した動作の流れは一例であって、他の順序で動作が進行してもよい。例えば、報酬の決定後に、映像データの取得及び所定の処理の実行が行われてもよい。
【００５５】
＜変形例１＞
次に、上述した実施の形態の変形例について説明する。図７は、実施の形態の変形例１にかかる情報処理システム１１の構成の一例を示すブロック図である。図７に示すように、変形例１にかかる情報処理システム１１は、端末装置３００が情報登録部３０３をさらに有する点で、上述の実施の形態とは構成が異なっている。なお、情報登録部３０３も、例えば、プロセッサ３５２が、メモリ３５１からコンピュータプログラムを読み出して実行することで実現される。
【００５６】
上述の実施の形態では、環境情報記憶部２０３には図３に示したような情報が予め登録されているものとして説明したが、本変形例では、端末装置３００から情報を登録できるようにしている。端末装置３００の情報登録部３０３は、入力装置３５３を介してユーザから入力された情報に基づいて、環境情報記憶部２０３に登録する情報を取得する。すなわち、情報登録部３０３は、例えば、ユーザが貸し出す環境についての環境情報と、当該ユーザのユーザＩＤと、貸し出す環境がどのカメラ１００に対する環境であるかを特定するためのカメラＩＤとを取得し、サーバ２００に送信する。サーバ２００において、端末装置３００から送信された情報は、環境情報記憶部２０３に記憶される。これにより、報酬決定に必要な情報を容易に設定することができる。
【００５７】
＜変形例２＞
図８は、実施の形態の変形例２にかかる情報処理システム１２の構成の一例を示すブロック図である。図８に示すように、変形例２にかかる情報処理システム１１は、サーバ２００が新規設定場所通知部２０６をさらに有し、端末装置３００が設置場所取得部３０４及び設置場所表示部３０５をさらに有する点で、上述の実施の形態とは構成が異なっている。なお、新規設定場所通知部２０６も、例えば、プロセッサ２５２が、メモリ２５１からコンピュータプログラムを読み出して実行することで実現される。同様に、設置場所取得部３０４及び設置場所表示部３０５も、例えば、プロセッサ３５２が、メモリ３５１からコンピュータプログラムを読み出して実行することで実現される。
【００５８】
サーバ２００の新規設定場所通知部２０６は、交通状態を撮影するカメラ１００の新たな設置場所を端末装置に通知する。具体的には、例えば、新規設定場所通知部２０６は、サーバ２００に入力された新たな設置場所についての情報を、複数の端末装置３００に一斉に通知する。
【００５９】
端末装置３００の設置場所取得部３０４は、サーバ２００から送信された新たな設置場所についての情報を取得する。設置場所取得部３０４は、例えば、有線又は無線のネットワークを介して、サーバ２００から設置場所についての情報を取得する。
設置場所表示部３０５は、設置場所取得部３０４が取得した情報を端末装置３００の表示装置３５４に表示する。
【００６０】
このような構成により、新たに環境の提供が必要とされる場所を端末装置３００のユーザに周知することができる。これにより、環境の整備を促進することができる。
【００６１】
なお、本発明は上記実施の形態に限られたものではなく、趣旨を逸脱しない範囲で適宜変更することが可能である。例えば、カメラ映像取得部２０１は、同じ観測地点についての交通状態を撮影する複数のカメラ１００からの映像データのうち、カメラ１００の特徴に応じて選択された映像データを取得してもよい。すなわち、カメラ映像取得部２０１は、カメラ１００の設置場所又はカメラ１００の性能に基づいて選択された映像データを取得してもよい。例えば、カメラ映像取得部２０１は、同じ観測地点を撮影するカメラ１００のうち、最も優れた設置場所に設置されたカメラ１００の映像データを取得してもよい。このような場合、処理実行部２０２は、選択された映像データを用いて所定の処理を実行することとなる。このような構成を採用することにより、処理に適した映像データを用いて所定の処理を行うことができる。
【００６２】
また、報酬決定部２０４は、映像データが処理実行部２０２の処理に用いられた場合に、この映像データを取得するための環境の提供に対する報酬を決定してもよい。このような構成を採用することにより、処理実行部２０２の処理を行う上で実際に役に立った映像データについての環境の提供者に報酬を付与することができる。
【００６３】
また、上記の実施形態の一部又は全部は、以下の付記のようにも記載されうるが、以下には限られない。
【００６４】
（付記１）
交通状態を撮影するカメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理装置。
（付記２）
前記特徴は前記カメラの設置場所である
付記１に記載の情報処理装置。
（付記３）
前記報酬決定手段は、予め定められた観測地点の全体を含む映像を撮影することができる環境の提供に対し、前記予め定められた観測地点の全体を含む映像を撮影できない環境の提供よりも価値の大きな報酬を付与するよう報酬を決定する
付記２に記載の情報処理装置。
（付記４）
前記特徴は前記カメラの性能である
付記１乃至３のいずれか１項に記載の情報処理装置。
（付記５）
前記報酬決定手段は、さらに、前記カメラに供給する電源の提供又は前記カメラからの映像データの伝送に用いられるネットワークの提供に対する報酬を算出する
付記１乃至４のいずれか１項に記載の情報処理装置。
（付記６）
前記報酬決定手段により決定された報酬についての情報を端末装置に送信する報酬送信手段をさらに有する
付記１乃至５のいずれか１項に記載の情報処理装置。
（付記７）
前記カメラ映像取得手段が取得した映像データを用いて所定の処理を実行する処理実行手段をさらに有し、
前記カメラ映像取得手段は、同じ観測地点についての交通状態を撮影する複数のカメラからの映像データのうち、前記カメラの特徴に応じて選択された映像データを取得し、
前記処理実行手段は、前記選択された映像データを用いて所定の処理を実行する
付記１乃至６のいずれか１項に記載の情報処理装置。
（付記８）
前記カメラ映像取得手段が取得した映像データを用いて所定の処理を実行する処理実行手段をさらに有し、
前記報酬決定手段は、映像データが前記処理実行手段の処理に用いられた場合に、該映像データを取得するための環境の提供に対する報酬を決定する
付記１乃至６のいずれか１項に記載の情報処理装置。
（付記９）
交通状態を撮影するカメラの新たな設置場所を端末装置に通知する新規設置場所通知手段をさらに有する
付記１乃至８のいずれか１項に記載の情報処理装置。
（付記１０）
交通状態を撮影するカメラと、
情報処理装置と
を備え、
前記情報処理装置は、
前記カメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理システム。
（付記１１）
前記特徴は前記カメラの設置場所である
付記１０に記載の情報処理システム。
（付記１２）
情報処理装置が、
交通状態を撮影するカメラからの映像データを取得し、
前記カメラの特徴に基づいて、前記映像データを取得するための環境の提供に対する報酬を決定する
情報処理方法。
（付記１３）
交通状態を撮影するカメラからの映像データを取得するカメラ映像取得ステップと、
前記カメラの特徴に基づいて、前記映像データを取得するための環境の提供に対する報酬を決定する報酬決定ステップと
をコンピュータに実行させるプログラムが格納された非一時的なコンピュータ可読媒体。
【００６５】
以上、実施の形態を参照して本願発明を説明したが、本願発明は上記によって限定されるものではない。本願発明の構成や詳細には、発明のスコープ内で当業者が理解し得る様々な変更をすることができる。
【００６６】
この出願は、２０１８年３月２９日に出願された日本出願特願２０１８−０６６０１５を基礎とする優先権を主張し、その開示の全てをここに取り込む。
【符号の説明】
【００６７】
１    情報処理装置
２、２０１    カメラ映像取得部
２０２    処理実行部
３、２０４    報酬決定部
１０、１１、１２    情報処理システム
１００    カメラ
２００    サーバ
２０３    環境情報記憶部
２０５    報酬送信部
２０６    新規設定場所通知部
２５０、３５０    ネットワークインタフェース
２５１、３５１    メモリ
２５２、３５２    プロセッサ
３００    端末装置
３０１    報酬取得部
３０２    報酬表示部
３０３    情報登録部
３０４    設置場所取得部
３０５    設置場所表示部
３５３    入力装置
３５４    表示装置
【図１】
2019187290.tif 000003
【図２】
2019187290.tif 000004
【図３】
2019187290.tif 000005
【図４】
2019187290.tif 000006
【図５】
2019187290.tif 000007
【図６】
2019187290.tif 000008
【図７】
2019187290.tif 000009
【図８】
2019187290.tif 000010
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
交通状態を撮影するカメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理装置。
【請求項２】
前記特徴は前記カメラの設置場所である
請求項１に記載の情報処理装置。
【請求項３】
前記報酬決定手段は、予め定められた観測地点の全体を含む映像を撮影することができる環境の提供に対し、前記予め定められた観測地点の全体を含む映像を撮影できない環境の提供よりも価値の大きな報酬を付与するよう報酬を決定する
請求項２に記載の情報処理装置。
【請求項４】
前記特徴は前記カメラの性能である
請求項１乃至３のいずれか１項に記載の情報処理装置。
【請求項５】
前記報酬決定手段は、さらに、前記カメラに供給する電源の提供又は前記カメラからの映像データの伝送に用いられるネットワークの提供に対する報酬を算出する
請求項１乃至４のいずれか１項に記載の情報処理装置。
【請求項６】
前記報酬決定手段により決定された報酬についての情報を端末装置に送信する報酬送信手段をさらに有する
請求項１乃至５のいずれか１項に記載の情報処理装置。
【請求項７】
前記カメラ映像取得手段が取得した映像データを用いて所定の処理を実行する処理実行手段をさらに有し、
前記報酬決定手段は、映像データが前記処理実行手段の処理に用いられた場合に、該映像データを取得するための環境の提供に対する報酬を決定する
請求項１乃至６のいずれか１項に記載の情報処理装置。
【請求項８】
交通状態を撮影するカメラと、
情報処理装置と
を備え、
前記情報処理装置は、
前記カメラからの映像データを取得するカメラ映像取得手段と、
前記カメラの特徴に基づいて、前記映像データを前記カメラ映像取得手段が取得するための環境の提供に対する報酬を決定する報酬決定手段と
を有する情報処理システム。
【請求項９】
情報処理装置が、
交通状態を撮影するカメラからの映像データを取得し、
前記カメラの特徴に基づいて、前記映像データを取得するための環境の提供に対する報酬を決定する
情報処理方法。
【請求項１０】
交通状態を撮影するカメラからの映像データを取得するカメラ映像取得ステップと、
前記カメラの特徴に基づいて、前記映像データを取得するための環境の提供に対する報酬を決定する報酬決定ステップと
をコンピュータに実行させるプログラム。
【国際調査報告】
2019187290.tif 000011
2019187290.tif 000012
2019187290.tif 000013
2019187290.tif 000014